(57)【要約】【課題】コンテンツ選択、あるいはアップロードを行うためのコンテンツ利用者の負担を軽減し、移動先にあっても、何時でも何処でも必要なときに印刷出力を入手可能なユビキタス環境を提供する。【解決手段】本発明の印刷データ配信装置（ＡＳＰサーバ）１は、時系列で更新されるコンテンツに関し、そのタイトルとデータがリンクして蓄積されるコンテンツ蓄積部（コンテンツＤＢ）１１と、アクセス要求に基づきコンテンツのデータを含まないタイトルを配信するタイトル配信部１２と、選択されたタイトル、およびその携帯端末２を特定するアクセスデータを受信することによって生成されるプリンタ端末３からのアクセス要求に基づき、選択されたタイトルに相当するデータを要求のあったプリンタ端末３へ配信する印刷データ配信部１３で構成される。【選択図】      図２
2004280154.tif 000002
【特許請求の範囲】
【請求項１】
ネットワーク接続環境を持つプリンタ端末と、コンテンツ利用者によって操作される携帯端末とが前記ネットワークを介して接続された印刷データ配信装置であって、
時系列で更新されるコンテンツに関し、そのタイトルとデータがリンクして蓄積されるコンテンツ蓄積部と、
コンテンツ利用者が前記携帯端末を操作することによって生成されるアクセス要求に基づき前記コンテンツのデータを含まないタイトルを配信するタイトル配信部と、
コンテンツ利用者が前記携帯端末を操作することによって選択されるタイトル、およびその携帯端末を特定するアクセスデータを受信することによって生成される前記プリンタ端末からのアクセス要求に基づき、前記データ蓄積部を参照して前記選択されたタイトルに相当するデータを前記要求のあったプリンタ端末へ配信する印刷データ配信部と、
を備えたことを特徴とする印刷データ配信装置。
【請求項２】
ネットワーク接続環境を持つプリンタ端末と、コンテンツ利用者によって操作される携帯端末とが前記ネットワークを介して接続された印刷データ配信装置であって、
時系列で更新されるコンテンツに関し、そのタイトルとデータがリンクして蓄積されるコンテンツ蓄積部と、
コンテンツ利用者が前記携帯端末を操作することによって生成される第１のアクセス要求に基づき前記コンテンツのデータを含まないタイトルを配信するタイトル配信部と、
コンテンツ利用者が前記携帯端末を操作することによって選択されるタイトル、および前記携帯端末が前記プリンタ端末と情報交換することにより得られる前記プリンタ端末を特定するデータを受信するアクセスデータ受信部と、
コンテンツ利用者が前記携帯端末を操作することにより生成される第２のアクセス要求に基づき、前記データ蓄積部を参照して前記選択されたタイトルに相当するデータを前記特定されたプリンタ端末へ配信する印刷データ配信部と、
を備えたことを特徴とする印刷データ配信装置。
【請求項３】
前記プリンタ端末と携帯端末とは前記ネットワークを介して接続される他に近距離無線通信により接続され、当該近距離無線通信を介して前記印刷データ配信装置のアドレス、もしくはプリンタ端末を特定するデータを交換することを特徴とする請求項１または２に記載の印刷データ配信装置。
【請求項４】
ネットワーク接続環境を持つプリンタ端末と、コンテンツ利用者によって操作される携帯端末とが前記ネットワークを介して接続された印刷データ配信装置に用いられる印刷データ配信プログラムであって、
時系列で更新されるコンテンツに関し、そのタイトルとデータをリンクして蓄積するステップと、
コンテンツ利用者が前記携帯端末を操作することによって生成されるアクセス要求に基づき前記コンテンツのデータを含まないタイトルを配信するステップと、
コンテンツ利用者が前記携帯端末を操作することによって選択されるタイトル、およびその携帯端末を特定するアクセスデータを受信することによって生成される前記プリンタ端末からのアクセス要求に基づき、前記選択されたタイトルに相当する前記蓄積されたデータを前記要求のあったプリンタ端末へ配信するステップと、
をコンピュータに実行させる印刷データ配信プログラム。
【請求項５】
ネットワーク接続環境を持つプリンタ端末と、コンテンツ利用者によって操作される携帯端末とが前記ネットワークを介して接続された印刷データ配信装置に用いられる印刷データ配信プログラムであって、
時系列で更新されるコンテンツに関し、そのタイトルとデータをリンクして蓄積するステップと、
コンテンツ利用者が前記携帯端末を操作することによって生成される第１のアクセス要求に基づき前記コンテンツのデータを含まないタイトルを配信するステップと、
コンテンツ利用者が前記携帯端末を操作することによって選択されるタイトル、および前記携帯端末が前記プリンタ端末と情報交換することにより得られる前記プリンタ端末を特定するデータを受信するステップと、
コンテンツ利用者が前記携帯端末を操作することにより生成される第２のアクセス要求に基づき、前記選択されたタイトルに相当する前記蓄積されたデータを前記特定されたプリンタ端末へ配信するステップと、
をコンピュータに実行させる印刷データ配信プログラム。
【発明の詳細な説明】
【０００１】
【発明の属する技術分野】
本発明は、ネットワーク接続環境を持つプリンタ端末と、コンテンツ利用者によって操作される携帯端末とがネットワークを介して接続される、印刷データ配信装置ならびにそのプログラムに関する。
【０００２】
【従来の技術】
インターネットやインターネット接続環境を持つ携帯電話端末の普及と共に各種情報の提供サービスを行うコンテンツプロバイダが増加し、各プロバイダは、それぞれのサービスに付加価値を付け、他社と差別化をはかることにより利用客の囲い込みを行っている。
また、コンテンツプロバイダがメンテナンス費用の高騰を回避するために、プリントソリューションを自ら保有することなく、コンテンツのプリントサービスを提供するプリントサービスプロバイダと協働して行うビジネス形態も存在する。この場合、プリントサービスプロバイダは、コンテンツ利用者に対し、家庭用プリンタでは不可能な様々なプリント形態に対応を可能としたプリントサービスを提供することができる（特許文献１参照）。
【０００３】
【特許文献１】
特開２００２−８２７８５号公報
【０００４】
【発明が解決しようとする課題】
ところで、競馬におけるオッズ等、時系列で更新されるコンテンツについては、プロバイダと契約して使用料を支払った利用者にのみその最新情報が定期的に配信される。上記したコンテンツは情報提供元から利用者に対して定期的に送られ、利用者は必要に応じてその内容を閲覧することができる。
しかしながら、利用者の意志で必要なコンテンツのみが配信される訳ではなく、情報提供元から契約コンテンツが一方的に配信されるため、利用者は、コンテンツ閲覧のための選択、あるいはアップロードのための負担を要していた。
一方、上記した従来技術によれば、プリントサービスプロバイダがアップロードされたコンテンツの印刷を行うため、利用者は、必要なときに必要な場所でプリントサービスを享受できないといった欠点を有していた。
【０００５】
本発明は上記事情に鑑みてなされたものであり、情報提供元に対し、利用者自らが必要とするコンテンツを要求し、ダウンロード配信されるコンテンツを身近にあるネットワーク接続環境を持つプリンタ端末に印刷出力させることで、コンテンツ選択、あるいはアップロードを行うための利用者の負担を軽減し、また、移動先にあっても、何時でも何処でも必要なときに印刷出力を入手できる、印刷データ配信装置ならびにそのプログラムを提供することを目的とする。
【０００６】
【課題を解決するための手段】
上記した課題を解決するために本発明は、ネットワーク接続環境を持つプリンタ端末と、コンテンツ利用契約者によって操作される携帯端末とが前記ネットワークを介して接続された印刷データ配信装置であって、時系列で更新されるコンテンツに関し、そのタイトルとデータがリンクして蓄積されるコンテンツ蓄積部と、コンテンツ利用者が前記携帯端末を操作することによって生成されるアクセス要求に基づき前記コンテンツのデータを含まないタイトルを配信するタイトル配信部と、コンテンツ利用者が前記携帯端末を操作することによって選択されるタイトル、およびその携帯端末を特定するアクセスデータを受信することによって生成される前記プリンタ端末からのアクセス要求に基づき、前記データ蓄積部を参照して前記選択されたタイトルに相当するデータを前記要求のあったプリンタ端末へ配信する印刷データ配信部と、を備えたことを特徴とする。
【０００７】
本発明によれば、印刷データ配信部が、タイトル配信部によって配信され利用者によって選択されるタイトル、および携帯端末を特定するアクセスデータを受信することによって生成されるプリンタ端末からのアクセス要求に基づき、データ蓄積部を参照して選択されるタイトルに相当するデータを要求のあったプリンタ端末へ配信して印刷出力を得、このことにより、コンテンツ選択、あるいはアップロードを行うための利用者の負担を軽減し、かつ、何時でも何処でも必要なときにアップロードされたコンテンツの印刷出力を入手可能な印刷データ配信装置を提供することができる。
【０００８】
上記した課題を解決するために本発明は、ネットワーク接続環境を持つプリンタ端末と、コンテンツ利用契約者によって操作される携帯端末とが前記ネットワークを介して接続された印刷データ配信装置であって、時系列で更新されるコンテンツに関し、そのタイトルとデータがリンクして蓄積されるコンテンツ蓄積部と、コンテンツ利用者が前記携帯端末を操作することによって生成される第１のアクセス要求に基づき前記コンテンツのデータを含まないタイトルを配信するタイトル配信部と、コンテンツ利用者が前記携帯端末を操作することによって選択されるタイトル、および前記携帯端末が前記プリンタ端末と情報交換することにより得られる前記プリンタ端末を特定するデータを受信するアクセスデータ受信部と、コンテンツ利用者が前記携帯端末を操作することにより生成される第２のアクセス要求に基づき、前記データ蓄積部を参照して前記選択されたタイトルに相当するデータを前記特定されたプリンタ端末へ配信する印刷データ配信部と、を備えたことを特徴とする。
【０００９】
本発明によれば、印刷データ配信部が、タイトル配信部によって配信されコンテンツ利用者によって選択されるタイトル、および携帯端末がネットワーク接続環境を持つプリンタ端末と情報交換することによって得られるプリンタ端末を特定するデータを受信し、コンテンツ利用者からのアクセス要求に基づいてデータ蓄積部を参照し、選択されたタイトルに相当するデータを特定されたプリンタ端末へ配信して印刷出力を得、このことにより、コンテンツ選択、あるいはアップロードを行うためのコンテンツ利用者の負担を軽減し、かつ、何時でも何処でも必要なときにアップロードされたコンテンツの印刷出力を入手可能な、印刷データ配信装置を提供することができる。
【００１０】
また、本発明において、前記プリンタ端末と携帯端末とは前記ネットワークを介して接続される他に、近距離無線通信により接続され、当該近距離無線通信を介して前記印刷データ配信装置のアドレス、もしくはプリンタ端末を特定する情報を交換することを特徴とする。
【００１１】
本発明によれば、携帯端末とネットワーク接続環境を持つプリンタ端末間で近距離無線通信を用い、例えば、ＵＲＬ（Ｕｎｉｆｏｒｍ  Ｒｅｓｏｕｒｃｅ  Ｌｏｃａｔｅｒ）やパス、あるいはプリンタ端末を特定する情報を交換することで、プリンタ端末が印刷データ配信装置に自動接続可能となり、あるいは、印刷データ配信装置が配信すべきブリンタ端末を判断できる。
【００１２】
上記した課題を解決するために本発明は、ネットワーク接続環境を持つプリンタ端末と、コンテンツ利用者によって操作される携帯端末とが前記ネットワークを介して接続された印刷データ配信装置に用いられる印刷データ配信プログラムであって、時系列で更新されるコンテンツに関し、そのタイトルとデータをリンクして蓄積するステップと、コンテンツ利用者が前記携帯端末を操作することによって生成されるアクセス要求に基づき前記コンテンツのデータを含まないタイトルを配信するステップと、コンテンツ利用者が前記携帯端末を操作することによって選択されるタイトル、およびその携帯端末を特定するアクセスデータを受信することによって生成される前記プリンタ端末からのアクセス要求に基づき、前記選択されたタイトルに相当する前記蓄積されたデータを前記要求のあったプリンタ端末へ配信するステップと、をコンピュータに実行させることを特徴とする。
【００１３】
本発明によれば、上記した印刷データ配信プログラムをモコンピュータに実行させることにより、コンテンツ利用者によって選択される配信されたタイトル、および携帯端末を特定するアクセスデータを受信することによって生成されるプリンタ端末からのアクセス要求に基づき、先に選択されたタイトルに相当するデータを要求のあったプリンタ端末へ配信して印刷出力を得、このことにより、コンテンツ選択、あるいはアップロードを行うための利用者の負担を軽減することができ、かつ、何時でも何処でも必要なときにアップロードされたコンテンツの印刷出力を入手可能となる。
【００１４】
上記した課題を解決するために本発明は、ネットワーク接続環境を持つプリンタ端末と、コンテンツ利用者によって操作される携帯端末とが前記ネットワークを介して接続された印刷データ配信装置に用いられる印刷データ配信プログラムであって、時系列で更新される契約コンテンツに関し、そのタイトルとデータをリンクして蓄積するステップと、コンテンツ利用者が前記携帯端末を操作することによって生成される第１のアクセス要求に基づき前記コンテンツのデータを含まないタイトルを配信するステップと、コンテンツ利用者が前記携帯端末を操作することによって選択されるタイトル、および前記携帯端末が前記プリンタ端末と情報交換することにより得られる前記プリンタ端末を特定するデータを受信するステップと、コンテンツ利用者が前記携帯端末を操作することにより生成される第２のアクセス要求に基づき、前記選択されたタイトルに相当する前記蓄積されたデータを前記特定されたプリンタ端末へ配信するステップと、をコンピュータに実行させること特徴とする。
【００１５】
本発明によれば、上記した印刷データ配信プログラムをモコンピュータに実行させることにより、コンテンツ利用者によって選択される配信されたタイトル、および携帯端末がネットワーク接続環境を持つプリンタ端末と情報交換することによって得られるプリンタ端末を特定するデータを受信し、コンテンツ利用者からのアクセス要求に基づいて選択されたタイトルに相当するデータを特定されたプリンタ端末へ配信して印刷出力を得、このことにより、コンテンツ選択、あるいはアップロードを行うためのコンテンツ利用者の負担を軽減することができ、かつ、何時でも何処でも必要なときにアップロードされたコンテンツの印刷出力が入手可能となる。
【００１６】
【発明の実施形態】
図１は、本発明の印刷データ配信装置が採用される印刷データ配信システムのシステム構成を説明するために引用した図である。
図１において、１は、本発明の印刷データ配信装置が実装されるＡＳＰ（Ａｐｐｌｉｃａｔｉｏｎ  Ｓｅｒｖｉｃｅ  Ｐｒｏｖｉｄｅｒ）サーバであり、コンテンツ提供者によって供給される時系列で更新されるコンテンツに関し、そのタイトルとデータとをリンクさせてデータベースを構築する。
また、ＡＳＰサーバ１は、セレクトサーバとプリントサーバ（いずれも図示せず）から構成され、セレクトサーバによりコンテンツ利用者にタイトルを配信し、その選択タイトルを受信してプリントサーバに引渡し、プリントサーバによってその選択されたタイトルに相当するデータ（印刷コンテンツ）を後述するプリンタ端末へ配信する機能を持つ。
【００１７】
２は、コンテンツ利用者が携帯するネットワーク接続環境を持つ（インターネット接続可能な）携帯端末（ＭＵ：Ｍｏｂｉｌｅ  Ｕｎｉｔ）であり、ここでは携帯電話を想定しており、更に、ＢｌｕｅｔｏｏｔｈやＩｒＤＡ（Ｉｎｆｒａｒｅｄ  Ｄａｔａ  Ａｓｓｏｃｉａｔｉｏｎ）等、近距離無線通信を行うためのインタフェースＬＳＩも内蔵することとする。また、３はネットワーク接続環境を持つプリンタ端末（以下、ネットワークプリンタＮＰという）であり、携帯端末２同様、Ｂｌｕｅｔｏｏｔｈ等、近距離無線通信を行うためのインタフェースＬＳＩを内蔵することとする。
なお、ＡＳＰサーバ１、携帯端末２、ネットワークプリンタ（ＮＰ）３ともにインターネットなどのＩＰ（Ｉｎｔｅｒｎｅｔ  Ｐｒｏｔｏｃｏｌ）網４を介して接続される。
【００１８】
図２は、本発明の印刷データ配信装置の内部構成を機能展開して示したブロック図である。
本発明の印刷データ配信装置は、コンテンツ蓄積部１１と、タイトル配信部１２と、印刷データ配信部１３と、アクセスデータ受信部１４で構成される。
コンテンツ蓄積部１１は、時系列で更新されるコンテンツに関し、そのタイトルとデータがリンクして蓄積されるコンテンツＤＢ（データベース）である。
【００１９】
タイトル配信部１２は、コンテンツ利用者が携帯端末２を操作することによって生成されるアクセス要求に基づきコンテンツのデータを含まないタイトルを配信する機能を持つ。
また、印刷データ配信部１３は、コンテンツ利用者が携帯端末２を操作することによって選択されるタイトル、およびその携帯端末２を特定するアクセスデータを受信することによって生成されるプリンタ端末３からのアクセス要求に基づき、コンテンツ蓄積部１１を参照して先に選択されたタイトルに相当するデータを読み出し、このデータを印刷するための印刷データを要求のあったプリンタ端末３へ配信する機能を持つ。
【００２０】
一方、アクセスデータ受信部１４は、コンテンツ利用者が携帯端末２を操作することによって選択されるタイトル、および携帯端末２がプリンタ端末３と情報交換することにより得られるプリンタ端末３を特定するデータを受信する機能を持つ。
この場合、印刷データ配信部１３は、コンテンツ利用者が携帯端末２を操作することにより生成されるアクセス要求に基づき、コンテンツ蓄積部１１を参照して先に選択されたタイトルに相当するデータを読み出し、このデータを印刷するための印刷データを特定されたプリンタ端末３へ配信する。
【００２１】
図３、図４は、本発明実施形態の動作を説明するために引用したフローチャートであり、それぞれ、ＡＳＰサーバ１、携帯端末２（ＭＵ）−プリンタ端末３（ＮＰ）の動作を示す。なお、図３に示すフローチャートは、本発明の印刷データ配信プログラムの処理手順も示す。
以下、図３、図４に示すフローチャートを参照しながら本発明の印刷データ配信装置の動作について説明する。
【００２２】
ＡＳＰサーバ１は、まず、コンテンツ利用者が携帯端末２を操作することにより生成されるサイトアクセスのための要求を受信する（ステップＳ３１）。サイトアクセス要求を受信したＡＳＰサーバ１は、タイトル配信部１２により、タイトル情報の配信を行う（ステップＳ３２）。ここでは、コンテンツＤＢ１１に蓄積された最新のコンテンツのうち、データ部分を含まないタイトル部分のみの配信とする。
サイトアクセスすることによりタイトル情報を受信した利用者は（ステップＳ４１、ステップＳ４２）、携帯端末２によりタイトル一覧を閲覧することができ（ステップＳ４３）、その中からデータのプリントサービスを得たいタイトルを選択する（ステップＳ４４）。
ここで利用者は、携帯端末２を操作することにより、身近に存在する、ここでは移動先にあるプリンタ端末３と近距離無線通信によるデータ交換を行う。すなわち、携帯端末２からプリンタ端末３に対し、サイトのＵＲＬ（Ｕｎｉｆｏｒｍ  Ｒｅｓｏｕｒｃｅ  Ｌｏｃａｔｅｒ）情報と、先に選択したタイトル情報を送信する（ステップＳ４５）。これら情報を近距離無線通信により受信したプリンタ端末３は、そのＵＲＬに基づきＡＳＰサーバ１にアクセスして印刷データの配信要求を行う（ステップＳ４６）。
【００２３】
アクセスデータ受信部１４を介して印刷データの配信要求を受信したＡＳＰサーバ１は（ステップＳ３３、ステップＳ３４）、印刷データ配信部１３により、コンテンツＤＢ１１を参照して選択されたタイトルに相当するデータを取り込み（ステップＳ３６、ステップＳ３７）、このデータを印刷するための印刷データを生成して要求のあったプリンタ端末３へ配信する（ステップＳ３８）。
なお、印刷データを受信したプリンタ端末３は、その印刷データの出力を行い（ステップＳ４７、ステップＳ４８）、印刷終了とともに選択されたデータはコンテンツＤＢ１１から削除される。
【００２４】
一方、上記した本発明実施形態によれば、プリンタ端末３からＡＳＰサーバ１をアクセスして印刷データの配信を受ける形態について説明したが、近距離無線通信を行った携帯端末２がプリンタ端末３のＩＤを取り込み、アクセスデータ受信部１４を介してこれらデータを受信したＡＳＰサーバ１が、該当するプリンタ端末３に印刷データの配信を行わせる形態にしても良い。
すなわち、この場合、携帯端末２とプリンタ端末３間で行なわれる近距離無線通信により、携帯端末２は、プリンタ端末３からプリンタＩＤを取り込み、先に選択したタイトル情報とともにＡＳＰサーバ１へ送信して印刷データの配信要求を行う（ステップＳ４６）。
そして、アクセスデータ受信部１４を介して印刷データの配信要求を受信したＡＳＰサーバ１は（ステップＳ３３、ステップＳ３５）、印刷データ配信部１３により、コンテンツＤＢ１１を参照して選択されたタイトルに相当するデータを取り込み（ステップＳ３６、ステップＳ３９）、プリンタＩＤに基づき配信すべきプリンタ端末３を認識して該当プリンタ端末３へ印刷データを配信する（ステップＳ４０）。
印刷データを受信したプリンタ端末３は、その印刷データの出力を行い（ステップＳ４７、ステップＳ４８）、印刷完了のログをＡＳＰサーバ１へ返す。
【００２５】
なお、上記した印刷データは、事前に会員契約を締結済みの契約利用者（ここでは単にコンテンツ利用者と呼んでいる）にのみ提供され、基本料金を支払うことにより無制限に印刷を許可する形態の他に、タイトル選択毎に課金される形態、印刷毎に課金される形態があり、その選択は任意である。
【００２６】
以上説明のように本発明によれば、コンテンツ提供元に対し、コンテンツ利用者自らが必要とするコンテンツを要求し、ダウンロード配信されるコンテンツを身近にあるネットワーク接続環境を持つプリンタ端末に印刷出力させることで、コンテンツ選択、あるいはアップロードを行うための利用者の負担を軽減することができる。
また、携帯端末とネットワーク接続環境を持つプリンタ端末間で近距離無線通信を用い、ＵＲＬもしくはプリンタ端末を特定する情報を交換することで、プリンタ端末が印刷データ配信装置に自動接続可能となり、あるいは、印刷データ配信装置が配信すべきブリンタ端末を判断でき、このことにより、利用者に対し、何時でも何処でも必要なときに印刷出力が入手可能となるユビキタス環境を提供することができる。
【００２７】
また、図２に示すタイトル配信部１２と、印刷データ配信部１３と、アクセスデータ受信部１４のそれぞれで実行される手順をコンピュータ読取り可能な記録媒体に記録し、この記録媒体に記録されたプログラムをコンピュータシステムに読み込ませ、実行することにより本発明の印刷データ配信装置が実現されるものとする。ここでいうコンピュータシステムとは、ＯＳや周辺機器等のハードウェアを含むものである。
【００２８】
また、「コンピュータシステム」は、ＷＷＷシステムを利用している場合であれば、ホームページ提供環境（あるいは表示環境）も含むものとする。
また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００２９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３０】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【図１】本発明のシステム構成を説明するために引用した図である。
【図２】本発明の内部構成を機能展開して示したブロック図である。
【図３】本発明実施形態の動作を示すフローチャートである。
【図４】本発明実施形態の動作を示すフローチャートである。
【符号の説明】
１…ＡＳＰサーバ（印刷データ配信装置）、２…携帯端末（ＭＵ）、３…プリンタ端末（ＮＰ）、４…ＩＰ網、１１…コンテンツＤＢ（コンテンツ蓄積部）、１２…タイトル配信部、１３…印刷データ配信部、１４…アクセスデータ受信部
【図１】
2004280154.tif 000003
【図２】
2004280154.tif 000004
【図３】
2004280154.tif 000005
【図４】
2004280154.tif 000006